(57)【要約】      （修正有）【課題】信頼性が高い投稿情報を、迅速に取得することが可能な訪問履歴登録システムを提供する。【解決手段】指定位置情報とキーワードとを含む投稿情報要求コマンドを受信し（ステップＳ４０１）、前記指定位置情報から所定距離内に立地する施設に関連する訪問履歴情報を取得し（ステップＳ４０２）、前記訪問履歴情報取得手段によって取得された訪問履歴情報取から、前記キーワード及び前記キーワードと類似する類似ワードが用いられている投稿情報を抽出し（ステップＳ４０４）、前記投稿情報抽出手段によって抽出された投稿情報を登録したユーザーの訪問履歴情報からユーザー毎の点数を算出し（ステップＳ４０５）、前記点数算出手段で算出された点数が所定値以上であるユーザーの投稿情報を投稿情報要求コマンドの発信元に返信する（ステップＳ４０６，４０７）。【選択図】図８
2011192181.tif 000002
【特許請求の範囲】
【請求項１】
所定位置に立地する施設に関するユーザーによる訪問履歴情報が登録される訪問履歴登録システムにおいて、
施設に関する位置情報、施設情報、訪問日時情報、投稿情報、累積訪問回数情報、累積投稿回数情報が含まれる訪問履歴情報をユーザー毎に登録する訪問履歴情報登録手段と、
指定位置情報とキーワードとを含む投稿情報要求コマンドを受信する投稿情報要求コマンド受信手段と、
前記指定位置情報から所定距離内に立地する施設に関連する訪問履歴情報を取得する訪問履歴情報取得手段と、
前記訪問履歴情報取得手段によって取得された訪問履歴情報取から、前記キーワード及び前記キーワードと類似する類似ワードが用いられている投稿情報を抽出する投稿情報抽出手段と、
前記投稿情報抽出手段によって抽出された投稿情報を登録したユーザーの訪問履歴情報からユーザー毎の点数を算出する点数算出手段と、
前記点数算出手段で算出された点数が所定値以上であるユーザーの投稿情報を投稿情報要求コマンドの発信元に返信する投稿情報返信手段と、を有することを特徴とする訪問履歴登録システム。
【発明の詳細な説明】
【技術分野】
【０００１】
本発明は、所定位置に立地する施設に関するユーザーによる訪問履歴情報が登録され、登録された訪問履歴から適切な情報を取得することが可能な訪問履歴登録システムに関する。
【背景技術】
【０００２】
近年、「ぐるなび」（登録商標）、「アスクユー・ドットコム」（登録商標）、「食べログ」（登録商標）などとして知られる、ユーザーによってレビューなどを登録することができ、なおかつ登録されたレビューを参照可能なウエッブ上の口コミ情報サービスの提供が盛んである。
【０００３】
これらの口コミ情報サービスの特徴としては、レストランなどの飲食提供施設に関して、ユーザーによって評価情報を付与する（レーティングする）ことができたり、ユーザーによる投稿記事（投稿情報）を登録したりすることができるようになっていることである。また、好みにあった飲食店を探したいユーザーは、飲食提供施設の所在エリア情報や、飲食提供施設で提供する飲食物のジャンル情報などに基づいて検索を行うことができ、自らの好みに近い飲食店をピックアップしやすいようなシステム構成となっている。
【０００４】
上記のような口コミ情報サービスを提供するためのシステムとしては、例えば、特許文献１（特開２００８−１５８７１２号公報）に評価情報管理システムが開示されている。
【特許文献１】特開２００８−１５８７１２号公報
【発明の概要】
【発明が解決しようとする課題】
【０００５】
従来技術では、ユーザーは所望とする情報を探すために、投稿情報などを逐一選択し、これが該当するものであるか否かを検討する必要があり、迅速に情報を取得することが困難であり、使い勝手が悪い、という問題があった。また、上記のようにして取得した情報においても、それが比較的最近に登録された投稿情報であるかについても検討する必要があり、従来の技術によるシステムでは、必ずしも、情報を取得したいユーザーにとって利便性の良いものではない、という問題があった。
【課題を解決するための手段】
【０００６】
上記問題点を解決するために、請求項１に係る発明は、所定位置に立地する施設に関するユーザーによる訪問履歴情報が登録される訪問履歴登録システムにおいて、施設に関する位置情報、施設情報、訪問日時情報、投稿情報、累積訪問回数情報、累積投稿回数情報が含まれる訪問履歴情報をユーザー毎に登録する訪問履歴情報登録手段と、指定位置情報とキーワードとを含む投稿情報要求コマンドを受信する投稿情報要求コマンド受信手段と、前記指定位置情報から所定距離内に立地する施設に関連する訪問履歴情報を取得する訪問履歴情報取得手段と、前記訪問履歴情報取得手段によって取得された訪問履歴情報取から、前記キーワード及び前記キーワードと類似する類似ワードが用いられている投稿情報を抽出する投稿情報抽出手段と、前記投稿情報抽出手段によって抽出された投稿情報を登録したユーザーの訪問履歴情報からユーザー毎の点数を算出する点数算出手段と、前記点数算出手段で算出された点数が所定値以上であるユーザーの投稿情報を投稿情報要求コマンドの発信元に返信する投稿情報返信手段と、を有することを特徴とする。
【発明の効果】
【０００７】
本発明に係る訪問履歴登録システムは、投稿情報を登録したユーザーの訪問履歴情報か
らユーザー毎の点数を算出する点数算出手段で算出された点数が所定値以上であるユーザーの投稿情報を投稿情報要求コマンドの発信元に返信するようになっているので、本発明に係る訪問履歴登録システムによれば、ユーザーはより信頼性が高い投稿情報を、迅速に提供することが可能となり、ユーザーの利便性が向上する。
【図面の簡単な説明】
【０００８】
【図１】本発明の実施形態に係る訪問履歴登録システムの概念を模式的に説明する図である。
【図２】本発明の実施形態に係る訪問履歴登録システムにおけるユーザー側携帯電話の画面表示例である。
【図３】本発明の実施形態に係る訪問履歴登録システムにおける訪問履歴登録データのデータ構造例を示す図である。
【図４】本発明の実施形態に係る訪問履歴登録システムにおける登録データの概要を説明する図である。
【図５】本発明の実施形態に係る訪問履歴登録システムにおいて新規に施設情報を登録する際のシーケンス例を示す図である。
【図６】本発明の実施形態に係る訪問履歴登録システムにおけるユーザー側携帯電話の画面表示例である。
【図７】本発明の実施形態に係る訪問履歴登録システムにおける投稿情報要求コマンドのデータ構造例を示す図である。
【図８】本発明の実施形態に係る訪問履歴登録システム１０において投稿情報取得処理のシーケンス例を示す図である。
【図９】本発明の実施形態に係る訪問履歴登録システムにおけるユーザー側携帯電話の画面表示例である。
【図１０】本発明の実施形態に係る訪問履歴登録システム１０における点数算出用テーブル例を示す図である。
【図１１】ユーザー毎の点数算出例を説明する図である。
【図１２】本発明の第２実施形態に係る訪問履歴登録システムにおけるユーザー側携帯電話の画面表示例である。
【図１３】本発明の第２実施形態に係る訪問履歴登録システムにおける投稿情報要求コマンドのデータ構造例を示す図である。
【図１４】本発明の第２実施形態に係る訪問履歴登録システム１０において投稿情報取得処理のシーケンス例を示す図である。
【図１５】第２実施形態におけるユーザーによる投稿の選定基準を説明する図である。
【図１６】第３実施形態におけるユーザーによる投稿の選定基準を説明する図である。
【発明を実施するための形態】
【０００９】
以下、本発明の実施の形態を図面を参照しつつ説明する。図１は本発明の実施形態に係る訪問履歴登録システムの概念を模式的に説明する図である。図１において、１０は訪問履歴登録システム、４０は携帯電話（情報処理端末）、５０はネットワーク、７０は基地局をそれぞれ示している。
【００１０】
本実施形態に係る訪問履歴登録システム１０は、ネットワーク５０と通信可能に接続する汎用のサーバーなどで構成することが可能である。このような訪問履歴登録システム１０によって、ＧＰＳ機能を有する携帯電話４０から、所定位置に立地する施設（飲食提供施設や、サービス提供施設、商品販売施設など）に関するユーザーによる訪問履歴情報を収集することができるようになっている。
【００１１】
訪問履歴登録システム１０においては、訪問履歴情報を訪問履歴登録システム１０に登録するユーザーと、訪問履歴登録システム１０に登録された訪問履歴情報から情報を取得するユーザーの２つのタイプのユーザーを想定しているが、前者が利用する情報処理端末としてはＧＰＳが搭載され、位置を特定可能な携帯電話４０が必須のものとなるが、後者のユーザーはネットワーク５０に接続可能なパーソナルコンピューター、ＰＤＡなどを利用して、訪問履歴登録システム１０を利用することが可能である。なお、携帯電話４０やパーソナルコンピューター、ＰＤＡなどには、本実施形態に係る訪問履歴登録システム１０を利用するためのアプリケーションソフトウエアが搭載されていることが想定される。
【００１２】
訪問履歴登録システム１０においては、訪問履歴情報を登録するユーザーは、上記のような携帯電話４０を用い、位置情報付きのデータを訪問履歴登録システム１０に送信することで、所定施設に対するユーザーの訪問実績を登録することができるし、さらに当該施設に対するユーザーの感想などをテキストデータ（必要に応じて当該施設の画像データも含む。このような画像データは携帯電話４０に付属するカメラ機能によって取得することができる。）にまとめて投稿情報として登録することができるようになっている。
【００１３】
次に、このような訪問履歴登録システム１０における訪問履歴登録機能について詳しく説明する。図２は本発明の実施形態に係る訪問履歴登録システムにおけるユーザー側携帯電話の画面表示例である。このような画面表示には、ユーザーインターフェイスとして携帯電話４０に設けられる一般的なディスプレイを用いることができる。
【００１４】
携帯電話４０は、搭載されているＧＰＳ機能により位置を特定することで、携帯電話４０が所在する施設、すなわち携帯電話４０を所持するユーザーが訪問している施設を把握することができる。なお、携帯電話４０は位置情報と対応した施設情報のデータベースを持つことにより、施設を特定するようにしてもよいし、携帯電話４０で取得した位置情報に基づいて、訪問履歴登録システム１０に問い合わせを行うことで、施設を特定するようにしてもよい。
【００１５】
携帯電話４０が所在する施設として「ＳＢコーヒーお茶の水店」が特定された上で、訪問履歴登録システム１０では、ユーザー側の携帯電話４０の画面表示例でも見られるように、「現在、あなたは、ＳＢコーヒーお茶の水店にいます。訪問登録しますか？」という質問をユーザー側に問いかける。これに対してユーザー側は、「訪問履歴登録する」などの画面上の仮想ボタンを押下することで、訪問履歴登録データが携帯電話４０から、訪問履歴登録システム１０を構成するサーバーに送信され、訪問履歴登録システム１０にユーザーの訪問履歴を蓄積させることができるようになっている。
【００１６】
また、ユーザーは、投稿情報記述欄に投稿情報を記入することによって、投稿情報が付された訪問履歴登録を行うこともできるし、或いは、投稿情報記述欄に投稿情報を記入せず、施設を訪問したという記録のみの登録を行うことが可能である。
【００１７】
なお、上記のような仮想ボタンを押下することや、投稿情報記述欄に投稿情報を記入することは、携帯電話４０における周知のユーザーインターフェイスを用いることで、行うことができる。
【００１８】
ここで、図３を参照して、ユーザー側の携帯電話４０から訪問履歴登録システム１０に送信されるデータについて説明する。図３は本発明の実施形態に係る訪問履歴登録システム１０における訪問履歴登録データのデータ構造例を示す図である。携帯電話４０からサーバー側（訪問履歴登録システム１０）に送信されるデーは、図３に示すように「発信元ＩＤ情報（ユーザー名）」、「施設情報」、「位置情報」、「日時情報」、「投稿情報」などのデータによって構成されるものである。「発信元ＩＤ情報（ユーザー名）」はユー
ザー側を特定するためのＩＤ情報であり、ユーザーが予め訪問履歴登録システム１０に登録したものである。このようなユーザー登録については周知の考え方を利用することができる。「施設情報」は携帯電話４０が所在する施設、すなわち、ユーザーが訪問している施設に係る情報であり、「位置情報」は携帯電話４０のＧＰＳ機能により取得された位置に係る情報であり、「日時情報」は、訪問履歴登録を行ったタイミングに係る情報であり、「投稿情報」は、ユーザーが携帯電話４０のユーザーインターフェイスによって投稿情報記述欄に記入したテキストデータである。
【００１９】
ネットワーク５０を介して、上記のような訪問履歴登録データを取得した訪問履歴登録システム１０を構成するサーバーは、ユーザー毎に図４に示すような形式でデータを蓄積するようになっている。図４は本発明の実施形態に係る訪問履歴登録システム１０（サーバー側）における登録データの概要を説明する図である。図４に示すように、訪問履歴登録システム１０（サーバー側）では、ユーザー毎に「施設情報」、「ジャンル情報」、「位置情報」、「最新日時情報（過去履歴も含む）」、「最新投稿情報（過去履歴も含む）」、「累計訪問回数」、「累計投稿回数」からなるデータ群が蓄積されるようになっている。
【００２０】
「施設情報」はユーザーが訪問履歴登録データを携帯電話４０から送信した施設に係る情報である。また、「ジャンル情報」は「施設情報」で登録されている施設が属するジャンル（例えば、飲食サービス提供施設については「グルメ」というジャンルに属するようにし、商品販売施設については「ショップ」というジャンルに属するようにする。）に係る情報である。
「位置情報」は、ユーザーが訪問履歴登録データを携帯電話４０から送信した位置に係る情報であり、「最新日時情報（過去履歴も含む）」は、ユーザーが訪問履歴登録データを携帯電話４０から送信したタイミングに係る情報である。この情報については、過去履歴分も含めるようにして登録する。
【００２１】
また、「最新投稿情報（過去履歴も含む）」は、ユーザーが送信した訪問履歴登録データの中に記述されている投稿情報に係るものであり、これについては過去履歴分も含めて蓄積するようにする。
【００２２】
また、「累計訪問回数情報」は、当該施設に関して、ユーザーが送信した訪問履歴登録データをカウントしたデータである。また、「累計投稿回数情報」は、当該施設に関して、ユーザーが送信した訪問履歴登録データに、投稿情報が含まれている場合にカウントを行ったデータである。
【００２３】
ところで、訪問履歴登録システム１０を構成するサーバーに、施設情報が既に登録されているような場合については、図４に示すようなデータベースに、ユーザーから送信された訪問履歴登録データを随時蓄積するようにしていけばよいが、施設情報が登録されていないような場合についてはこれを新規に登録する必要がある。
【００２４】
そこで、訪問履歴登録システム１０を構成するサーバーに、施設情報を新規登録する手順を説明する。図５は本発明の実施形態に係る訪問履歴登録システム１０において新規に施設情報を登録する際のシーケンス例を示す図である。図５において左欄はユーザー側の携帯電話４０におけるフローを、また、右欄は訪問履歴登録システム１０を構成するサーバー側におけるフローをそれぞれ示している。
【００２５】
図５のフローにおいて、ステップＳ１０１で携帯電話４０搭載のＧＰＳにより位置情報が取得されると、続くステップでは当該位置情報が訪問履歴登録システム１０側に送信される。
【００２６】
訪問履歴登録システム１０において、この位置情報をステップＳ２０１で受信すると、図４に示すような訪問履歴登録データが参照され、受信した位置情報に対応した施設情報が存在するか否かが判定される。既に施設情報が登録済みであり、ステップＳ２０２における判定結果がＹＥＳであるときには、ステップＳ２０６に進む。一方、施設情報が登録されていない場合には、判定結果はＮＯとなり、ステップＳ２０３に進む。そして、ステップＳ２０３においては、携帯電話４０側に、施設情報が登録されていない旨を送信する。
【００２７】
携帯電話４０側のステップＳ１０３で、訪問履歴登録システム１０（サーバー側）に施設情報が登録されていな旨を受信すると、施設情報を新規に登録するかがステップＳ１０４で決定される。登録しない場合には、ステップＳ１０８に進み終了し、新規登録を行う場合には、ステップＳ１０５に進み、位置情報に対応する施設情報とジャンル情報とが入力され、ステップＳ１０６でこれらを訪問履歴登録システム１０に送信する。
【００２８】
訪問履歴登録システム１０が、ステップＳ２０４でこれら施設情報とジャンル情報と受信すると、ステップＳ２０５で新しい施設情報として登録が行われ、ステップＳ２０６で施設情報登録を携帯電話４０側に送信する。ステップＳ１０７では、携帯電話４０側がこれを受信し処理を終了する。
【００２９】
次に、以上のように構成される訪問履歴登録システム１０において、訪問履歴登録システム１０に登録された訪問履歴情報から、ユーザーが所望とする情報を取得する際における処理について説明する。図６は本発明の実施形態に係る訪問履歴登録システムにおけるユーザー側携帯電話の画面表示例である。この画面表示例は情報を訪問履歴情報から取得しようとしているユーザーの携帯電話４０のものである。なお、訪問履歴情報から情報を取得するためには、ＧＰＳによって自携帯電話の位置情報を取得することは必須ではないが、図６に示す例では、位置情報取得可能な携帯電話４０を想定している。
【００３０】
図６（Ａ）は、投稿情報を取得する上で、どのエリアに立地する施設に関する情報を取得したいのかを指定するためのユーザーインターフェイス画面である。このようなユーザーインターフェイス画面において、「現在地に関連する投稿を取得」又は「入力した住所に関連する投稿を取得」のいずれかの仮想ボタンを押下することで、施設が立地するエリアを決定する。前者のボタンを選択した場合は、ＧＰＳによって取得された位置データに基づいてエリアが指定されることとなり、後者のボタンを選択した場合は、不図示のユーザーインターフェイス画面によって入力した住所に基づいてエリアが指定されることとなる。
【００３１】
図６（Ｂ）のユーザーインターフェイス画面は、投稿情報を検索する際のキーワードを入力するものである。ユーザーは、図６（Ｂ）のキーワード記述欄にキーワードを入力した上で、「検索」の仮想ボタンを押下すると、図７に示すようなデータ構造の投稿情報要求コマンドが、携帯電話４０から訪問履歴登録システム１０側に送信されるようになっている。
【００３２】
図７は本発明の実施形態に係る訪問履歴登録システムにおける投稿情報要求コマンドのデータ構造例を示す図である。図７に示す投稿情報要求コマンドにおける「発信元ＩＤ情報」はユーザー側を特定するためのＩＤ情報であり、「指定位置情報」は図６（Ａ）のユーザーインターフェイス画面で決定した位置情報であり、「キーワード情報」は図６（Ｂ）のユーザーインターフェイス画面で入力されたキーワードに係るデータである。
【００３３】
次に、訪問履歴登録システム１０を構成するサーバーに対して、投稿情報要求コマンド
を送信して、所望とする投稿情報を取得するための一連の処理・操作について説明する。図８は本発明の実施形態に係る訪問履歴登録システム１０において投稿情報取得処理のシーケンス例を示す図である。図８において左欄はユーザー側の携帯電話４０におけるフローを、また、右欄は訪問履歴登録システム１０を構成するサーバー側におけるフローをそれぞれ示している。
【００３４】
携帯電話４０におけるフローがステップＳ３００で開始されると、図６（Ａ）に示すユーザーインターフェイスにより、ステップＳ３０１で指定位置情報が決定され、図６（Ｂ）に示すユーザーインターフェイスにより、ステップＳ３０２でキーワード情報が決定されると、続いてステップＳ３０３に進み、図７に示すようなデータ構造を有する投稿情報要求コマンドが、訪問履歴登録システム１０を構成するサーバー側に送信される。
【００３５】
ステップＳ４０１において、訪問履歴登録システム１０側が、携帯電話４０から投稿情報要求コマンドを受信すると、続くステップＳ４０２においては、投稿情報要求コマンドで指定された位置情報から所定距離内にある周辺の施設に関する情報を取得する。所定距離内に施設が存在するか否かを判定するには図４に登録されている施設毎の位置情報を用いることができる。
【００３６】
ステップＳ４０３では、ステップＳ４０２で取得された施設情報に関する訪問履歴を取得する。ステップＳ４０４では、ステップＳ４０３で取得された訪問履歴から、投稿情報要求コマンドに含まれるキーワード、及び、このキーワードと類似する類似ワードに基づいて、投稿（情報）を抽出する。なお、類似ワードの抽出は適当なシソーラスデータベースを用いることで行うことができる。
【００３７】
次のステップＳ４０５では、ステップＳ４０４で抽出された投稿を行ったユーザーの訪問履歴から、ユーザー毎の点数が算出される。このようなユーザー毎の点数の算出例を、図１０及び図１１を参照して説明する。図１０は本発明の実施形態に係る訪問履歴登録システム１０における点数算出用テーブル例を示す図であり、図１１はユーザー毎の点数算出例を説明する図である。
【００３８】
図１０（Ａ）はユーザーが所定の施設を訪問した回数に応じて、ユーザーに点数を付与する際に用いられるテーブルである。例えば、あるユーザーがある施設を２０回以上訪問している訪問履歴が存在する場合には、そのユーザーに１０点が付与される。また、図１０（Ｂ）はユーザーが所定の施設に関して投稿した回数に応じて、ユーザーに点数を付与する際に用いられるテーブルである。例えば、あるユーザーがある施設に関し２５回以上投稿している履歴が存在する場合には、そのユーザーに１０点が付与される。また、図１０（Ｃ）はユーザーが所定の施設に関して行った投稿の新しさに応じて、ユーザーに点数を付与する際に用いられるテーブルである。例えば、あるユーザーがある施設について１週間以内に投稿を行った履歴が存在する場合には、そのユーザーに１０点が付与される。図１１は図１０（Ａ）乃至（Ｃ）に基づいて付与された点数を基に、ユーザー毎の総得点数を算出する例を説明するものである。図１１に示すように、（ユーザーの総得点数）＝（訪問回数に基づく点数）×（投稿回数に基づく点数）＋（最新投稿時期に基づく点数）によって算出する。これによれば、Ｍ屋お茶の水店に関するユーザー毎の点数算出では、ユーザーＡＢＣは２０点が、ユーザーＤＥＦは２４点が、ユーザーＧＨＩは１５点が付与される。
【００３９】
ステップＳ４０６では、ステップＳ４０５によって算出された点数に基づいて、所定の点数以上のユーザーの投稿を抽出する。例えば、所定の点数を２０点とすると、図１１の例では、ユーザーＡＢＣ、及び、ユーザーＤＥＦの投稿が抽出される。そして、ステップＳ４０７で、訪問履歴登録システム１０から携帯電話４０に、抽出された投稿情報を返信
する。携帯電話４０では、ステップＳ３０４で、この投稿情報を受信して、ステップＳ３０５で処理を終了する。図９は投稿情報を受信した携帯電話４０における画面表示例を示す図である。
【００４０】
以上のように、本発明に係る訪問履歴登録システム１０は、投稿情報を登録したユーザーの訪問履歴情報からユーザー毎の点数を算出し（ステップＳ４０６）、算出された点数が所定値以上であるユーザーの投稿情報を投稿情報要求コマンドの発信元に返信する（ステップＳ４０６、４０７）ようになっているので、本発明に係る訪問履歴登録システムによれば、ユーザーはより信頼性が高い投稿情報を、迅速に提供することが可能となり、ユーザーの利便性が向上する。
【００４１】
次に、本発明の第２実施形態について説明する。第２実施形態においては、先の実施形態と構成は変わることがなく、処理が異なるものであるので、処理の違いについて詳しく説明する。先の実施形態においては、投稿情報を検索するためにキーワードを用いていたが、第２実施形態においては、ジャンル情報を用いるようにしている。また、得点付けされたユーザーを選定する条件も２つの実施形態で相違している。
【００４２】
第２実施形態に係る訪問履歴登録システム１０において、訪問履歴登録システム１０に登録された訪問履歴情報から、ユーザーが所望とする情報を取得する際における処理について説明する。図１２は本発明の第２実施形態に係る訪問履歴登録システムにおけるユーザー側携帯電話の画面表示例である。この画面表示例は情報を訪問履歴情報から取得しようとしているユーザーの携帯電話４０のものである。なお、訪問履歴情報から情報を取得するためには、ＧＰＳによって自携帯電話の位置情報を取得することは必須ではないが、図１２に示す例では、位置情報取得可能な携帯電話４０を想定している。
【００４３】
図１２（Ａ）は、投稿情報を取得する上で、どのエリアに立地する施設に関する情報を取得したいのかを指定するためのユーザーインターフェイス画面である。このようなユーザーインターフェイス画面において、「現在地に関連する投稿を取得」又は「入力した住所に関連する投稿を取得」のいずれかの仮想ボタンを押下することで、施設が立地するエリアを決定する。前者のボタンを選択した場合は、ＧＰＳによって取得された位置データに基づいてエリアが指定されることとなり、後者のボタンを選択した場合は、不図示のユーザーインターフェイス画面によって入力した住所に基づいてエリアが指定されることとなる。
【００４４】
図１２（Ｂ）のユーザーインターフェイス画面は、取得したい情報のジャンルを指定するものである。ジャンルとしては、例えば、「グルメ」、「ショップ」、「プレイスポット」、「見る」、「宿泊」、などに分類されていると利便性がよい。例えば、「グルメ」とジャンル指定された場合には、レストラン、コーヒーショップ、居酒屋などの施設に関する投稿情報を抽出する。ユーザーは、図１２（Ｂ）のジャンル一覧から、所望とするジャンルに関する仮想ボタンを押下すると、図１３に示すようなデータ構造の投稿情報要求コマンドが、携帯電話４０から訪問履歴登録システム１０側に送信されるようになっている。
【００４５】
図１３は本発明の第２実施形態に係る訪問履歴登録システムにおける投稿情報要求コマンドのデータ構造例を示す図である。図１３に示す投稿情報要求コマンドにおける「発信元ＩＤ情報」はユーザー側を特定するためのＩＤ情報であり、「指定位置情報」は図１２（Ａ）のユーザーインターフェイス画面で決定した位置情報であり、「ジャンル情報」は図１２（Ｂ）のユーザーインターフェイス画面で押下されたジャンルに係るデータである。
【００４６】
次に、訪問履歴登録システム１０を構成するサーバーに対して、投稿情報要求コマンドを送信して、所望とする投稿情報を取得するための一連の処理・操作について説明する。図１４は本発明の第２実施形態に係る訪問履歴登録システム１０において投稿情報取得処理のシーケンス例を示す図である。図１４において左欄はユーザー側の携帯電話４０におけるフローを、また、右欄は訪問履歴登録システム１０を構成するサーバー側におけるフローをそれぞれ示している。
【００４７】
携帯電話４０におけるフローがステップＳ５００で開始されると、図１２（Ａ）に示すユーザーインターフェイスにより、ステップＳ５０１で指定位置情報が決定され、図１２（Ｂ）に示すユーザーインターフェイスにより、ステップＳ５０２でジャンル情報が決定されると、続いてステップＳ５０３に進み、図１３に示すようなデータ構造を有する投稿情報要求コマンドが、訪問履歴登録システム１０を構成するサーバー側に送信される。
【００４８】
ステップＳ６０１において、訪問履歴登録システム１０側が、携帯電話４０から投稿情報要求コマンドを受信すると、続くステップＳ６０２においては、投稿情報要求コマンドで指定された位置情報から所定距離内にあり、指定されたジャンルに属する施設に関する情報を取得する。所定距離内に施設が存在するか否かを判定するには図４に登録されている施設毎の位置情報を用いることができる。また、施設によるジャンルの相違についても図４に登録されている施設毎のジャンル情報を用いることができる。
【００４９】
ステップＳ６０３では、ステップＳ６０２で取得された施設情報に関する訪問履歴を取得する。次のステップＳ６０４では、ステップＳ６０３で抽出された投稿を行ったユーザーの訪問履歴から、ユーザー毎の点数が算出される。このようなユーザー毎の点数の算出では、図１０及び図１１に用いたものを用いることができる。
【００５０】
ステップＳ６０５では、ステップＳ６０４によって算出された点数に基づいて、最も点数が高いユーザーの投稿を抽出する。図１５は第２実施形態におけるユーザーによる投稿の選定基準を説明する図である。第２実施形態においては、２０点であるユーザーＡＢＣ、２４点であるユーザーＤＥＦ、１５点であるユーザーＧＨＩのうち、最も点数が高いユーザーＤＥＦの投稿が抽出される。
【００５１】
そして、ステップＳ６０６で、訪問履歴登録システム１０から携帯電話４０に、抽出された投稿情報を返信する。携帯電話４０では、ステップＳ５０４で、この投稿情報を受信して、ステップＳ５０５で処理を終了する。
【００５２】
以上のように、本発明に係る第２実施形態によって、ユーザーはより信頼性が高い投稿情報を、迅速に提供することが可能となり、ユーザーの利便性が向上する。
【００５３】
次に、本発明の第３実施形態について説明する。第３実施形態が第２実施形態と相違する点は、どのユーザーの投稿を選択するかに係る基準の違いである。より具体的には、第２実施形態におけるステップＳ６０４及びステップＳ６０５に代えて、図１６に示すような基準を採用することで、ユーザーの投稿を選定する。図１６は第３実施形態におけるユーザーによる投稿の選定基準を説明する図である。第３実施形態においては、例えば、最新投稿時期が１週間以内で、訪問回数に基づく最も順位が高いユーザーの投稿を返信するようにしている。このような実施形態によっても、ユーザーはより信頼性が高い投稿情報を、迅速に提供することが可能となり、ユーザーの利便性が向上する。
【００５４】
なお、以上で説明した実施形態においては、訪問履歴登録システム１０が単独かつ一括して、ユーザーによる投稿情報や、所定施設の訪問回数を管理するものであったが、投稿情報を管理するサーバーや、所定施設の訪問回数を管理するサーバーが独立して運営され
ているような実施形態も、本発明の範疇に入るものであることを付記しておく。そのような実施形態は、当業者であれば、周知のマッシュアップの概念を用いることで実施可能なシステムを構成することができる。
【符号の説明】
【００５５】
１０・・・訪問履歴登録システム、４０・・・携帯電話、５０・・・ネットワーク、７０・・・基地局
【図１】
2011192181.tif 000003
【図２】
2011192181.tif 000004
【図３】
2011192181.tif 000005
【図４】
2011192181.tif 000006
【図５】
2011192181.tif 000007
【図６】
2011192181.tif 000008
【図７】
2011192181.tif 000009
【図８】
2011192181.tif 000010
【図９】
2011192181.tif 000011
【図１０】
2011192181.tif 000012
【図１１】
2011192181.tif 000013
【図１２】
2011192181.tif 000014
【図１３】
2011192181.tif 000015
【図１４】
2011192181.tif 000016
【図１５】
2011192181.tif 000017
【図１６】
2011192181.tif 000018